(57)【特許請求の範囲】
【請求項１】
プール槽と、
前記プール槽の底面に対向して設けられた昇降可能なプール床と、
前記プール床に接続されたアームと、
駆動装置
とを備え、
前記駆動装置は、
前記アームを昇降する昇降機構と、
上下方向に伸展するスリットを有する遮蔽パネルと、
前記スリットの少なくとも一部を塞ぐシャッター板と、
前記シャッター板を前記遮蔽パネルと実質的に平行な面内で回転可能に保持する保持機構
とを含み、
前記アームは、前記スリットを貫通して前記昇降機構に導入され、
前記保持機構は、前記シャッター板が回転軸を中心として回転するように保持し、
前記シャッター板は、鏡面対称であり、且つ、前記アームの昇降時の前記アームとの接触により加えられる力により、前記スリットを開放するように回転し、
前記回転軸は、前記鏡面対称の中心である対象面の上にある
昇降床式プール。
【請求項２】
請求項１に記載の昇降床式プールにおいて、
前記シャッター板は、前記アームと摺動する摺動面を有し、
前記摺動面は、滑らかな曲面である
昇降床式プール。
【請求項３】
プール槽と、
前記プール槽の底面に対向して設けられた昇降可能なプール床と、
前記プール床に接続されたアームと、
駆動装置
とを備え、
前記駆動装置は、
前記アームを昇降する昇降機構と、
上下方向に伸展するスリットを有する遮蔽パネルと、
前記スリットの一部を塞ぐ複数の第１シャッター板と、
前記スリットに対して前記第１シャッター板の反対側に位置し、且つ、前記スリットの一部を塞ぐ複数の第２シャッター板と、
前記第１シャッター板と前記第２シャッター板とを前記遮蔽パネルと実質的に平行な面内で回転可能に保持する保持機構
とを含み、
前記アームは、前記スリットを貫通して前記昇降機構に導入され、
前記第１シャッター板と前記第２シャッター板とは、前記アームの昇降時の前記アームとの接触により加えられる力により、前記スリットを開放するように回転し、
前記第１シャッター板と前記第２シャッター板とは、上下方向にずれて配置された
昇降床式プール。
【請求項４】
プール槽と、
前記プール槽の底面に対向して設けられた昇降可能なプール床と、
前記プール床に接続されたアームと
駆動装置
とを備え、
前記駆動装置は、
前記アームを昇降する昇降機構と、
上下方向に伸展し且つ前記アームを前記昇降機構に導入するスリットを有する遮蔽パネルと、
両端が前記アームに接続され、前記スリットの前記アームの上側にある部分と下側にある部分とを塞ぐように、輪状にガイドされるシャッター板と、
前記シャッター板を前記アームから上下方向に導き、前記シャッター板をガイドするガイド機構
とを含む
昇降床式プール。
【請求項５】
プール槽と、
前記プール槽の底面に対向して設けられた昇降可能なプール床と、
前記プール床に接続されたアームと、
駆動装置
とを備え、
前記駆動装置は
前記アームを昇降する昇降機構と、
上下方向に伸展し且つ前記アームを前記昇降機構に導入するスリットを有する遮蔽パネルと、
一列に連結された複数のシャッター板を含むシャッター機構と、
前記シャッター機構を前記アームから上下方向に導き前記シャッター機構をガイドするガイド機構
とを含み、
前記複数のシャッター板の隣接する２つのシャッター板は、実質的に同一の平面内で、相互に回動可能に連結され、
前記シャッター機構は、両端が前記アームに接続され、且つ、前記スリットの前記アームの上側にある部分と下側にある部分とを塞ぐように、輪状にガイドされる
昇降床式プール。
【発明の詳細な説明】
【０００１】
【発明の属する技術分野】
本発明は、昇降床式プールに関する。本発明は、特に、プール床を昇降するプール床昇降装置に、プール床を昇降するために設けられたスリットを塞ぐ目隠機構が設けられた昇降床式プールに関する。
【０００２】
【従来の技術】
深さを自在に調節可能なプールとして、プール床をワイヤーで吊り、そのワイヤーを巻き取り、又は繰り出すことによってプール床を昇降する昇降床式プールが知られている。このような昇降床式プールでは、プール床に、ワイヤーを接続するためのアームが接続される。そのアームは、プール槽の壁面に上下方向に設けられたスリットを介してプール床昇降装置の内部に導入され、プール床昇降装置の内部で、アームにワイヤーが接続される。プール床昇降装置の内部には、ワイヤーを巻き取り、又は、繰り出す機構が設けられる。プール床昇降装置がワイヤーを巻き取り、又は、繰り出すと、アームがスリットに沿って上下に動き、これによりプール床が昇降する。
【０００３】
プール利用者の安全確保の観点から、プール床を昇降するプール床昇降装置には、アームを導入するスリットを塞ぎ、スリットからプール利用者の手足がプール床昇降装置の内部に入ることを防ぐ目隠機構が設けられることがある。このようなプール床昇降装置の目隠機構が、実用新案公報（実公平７−４００３２）に知られている。公知のその目隠機構は、細幅長尺のシャッター板と、そのシャッター板を巻き取るドラムと、シャッター板をガイドするガイドローラとから構成される。シャッター板は、アームに連結されている。ドラムは、シャッター板を巻き取る方向に付勢され、これにより、シャッター板は、プール床の昇降に追従してスリットを隠蔽する。
【０００４】
プール床昇降装置の内部には、アームを導入するスリットからプールに張られた水が侵入する。したがって、プール床昇降装置の目隠機構は、少なくともその一部が水中で動作することになる。そのため、目隠機構は、信頼性及びメンテナンス性の観点から、その構成が簡素化されることが強く望まれている。
【０００５】
【発明が解決しようとする課題】
本発明の目的は、昇降床式プールのプール床昇降装置に設けられる目隠機構を簡素化することにある。
【０００６】
【課題を解決するための手段】
以下に、[発明の実施の形態]で使用される番号・符号を用いて、課題を解決するための手段が説明される。これらの番号・符号は、[特許請求の範囲]の記載と[発明の実施の形態]の記載との対応関係を明らかにするために付加されている。但し、付加された番号・符号は、[特許請求の範囲]に記載されている発明の技術的範囲の解釈に用いてはならない。
【０００７】
本発明による昇降床式プールは、プール槽（１）と、プール槽（１）の底面に対向して設けられた昇降可能なプール床（３）と、プール床（３）に接続されたアーム（７）と、駆動装置（２）とを備えている。駆動装置（２）は、アーム（７）を昇降する昇降機構（８、９、１０）と、上下方向に伸展するスリット（１１ａ）を有する遮蔽パネル（１１）と、スリット（１１ａ）の少なくとも一部を塞ぐシャッター板（１２）と、シャッター板（１２）を遮蔽パネル（１１）と実質的に平行な面内で回転可能に保持する保持機構（１３、１４、１５）とを含む。アーム（７）は、スリット（１１ａ）を貫通して昇降機構（８、９、１０）に導入される。シャッター板（１２）は、アーム（７）の昇降時のアーム（７）との接触により加えられる力により、スリット（１１ａ）を開放するように回転する。当該昇降床式プールでは、シャッター板（１２）がアーム（７）から受ける力により回転され、シャッター板（１２）を回転する駆動力を供給する駆動源が必要でない。
【０００８】
構造の簡素化の観点から、シャッター板（１２）は、その自重により、スリット（１１ａ）を塞ぐ位置に戻されることが好ましい。
【０００９】
また、スリット（１１ａ）を確実に塞ぐ観点から、シャッター板（１２）は、スプリングにより、スリット（１１ａ）を塞ぐ位置に戻されることが好ましい。
【００１０】
既述のシャッター板（１２）は、アーム（７）と摺動する摺動面（１２ｂ）を有する。このとき、摺動面（１２ｂ）は、滑らかな曲面であることが好ましい。これにより、アーム（７）とシャッター板（１２）とは、滑らかに摺動する。
【００１１】
このとき、シャッター板（１２）は、鏡面対称であり、保持機構（１３、１４、１５）は、シャッター板（１２）が回転軸を中心として回転するように保持し、その回転軸は、鏡面対称の中心である対象面（１２ａ）の上にあることが好ましい。鏡面対称であるシャッター板（１２）の重心は、対象面（１２ａ）の上にある。このとき、シャッター板（１２）が回転する中心となる回転軸が対象面（１２ａ）の上に設けられることにより、シャッター板（１２）の重力バランスが保たれる。
【００１２】
本発明による昇降床式プールは、プール槽（１）と、プール槽（１）の底面に対向して、昇降可能に設けられたプール床（３）と、プール床（３）に接続されたアーム（７）と、駆動装置（２）とを備えている。駆動装置（２）は、アーム（７）を昇降する昇降機構（８、９、１０）と、上下方向に伸展するスリット（１１ａ）を有する遮蔽パネル（１１）と、スリット（１１ａ）の一部を塞ぐ複数の第１シャッター板（１２）と、スリット（１１ａ）に対して第１シャッター板（１２）の反対側に位置し、且つ、スリット（１１ａ）の一部を塞ぐ複数の第２シャッター板（１２）と、第１シャッター板（１２）と第２シャッター板（１２）とを遮蔽パネル（１１ａ）と実質的に平行な面内で回転可能に保持する保持機構（１３、１４、１５）とを含む。第１及び第２シャッター板（１２）は、アーム（７）の昇降時のアーム（７）との接触により加えられる力により、スリット（１１ａ）を開放するように回転する。第１シャッター板（１２）と第２シャッター板（１２）とは、上下方向にずれて配置されている。当該昇降床式プールは、第１シャッター板（１２）と第２シャッター板（１２）とが上下方向にずれて配置され、上下方向に長いスリット（１１ａ）を実質的に完全に塞ぐのに適した構成を有している。
【００１３】
本発明による昇降床式プールは、プール槽（１）と、プール槽（１）の底面に対向して、昇降可能に設けられたプール床（３）と、プール床（３）に接続されたアーム（７）と、駆動装置（２）とを備えている。駆動装置（２）は、アーム（７）を昇降する昇降機構（８、９、１０）と、上下方向に伸展するスリット（１１ａ）を有する遮蔽パネル（１１）と、一端がアーム（７）に接続され、スリット（１１ａ）の少なくとも一部を塞ぐシャッター板（３１）と、シャッター板（３１）をアーム（７）から上方に導き、且つ、シャッター板（３１）の他端を鉛直方向に垂下するガイド機構（３２、３３）と、シャッター板（３１）の他端に吊り下げられたカウンターウエイト（３４）とを含む。
【００１４】
本発明による昇降床式プールは、プール槽（１）と、プール槽（１）の底面に対向して、昇降可能に設けられたプール床（３）と、プール床（３）に接続されたアーム（７）と、駆動装置（２）とを備えている。駆動装置（２）は、アーム（７）を昇降する昇降機構（８、９、１０）と、上下方向に伸展するスリット（１１ａ）を有する遮蔽パネル（１１）と、折り畳みシャッター（４１）とを含む。アーム（７）は、スリット（１１ａ）を貫通して昇降機構（８、９、１０）に接続され、折り畳みシャッター（４１）は、スリット（１１ａ）のうち、アーム（７）よりも上方にある部分を塞ぐように設けられ、且つ、アーム（７）の昇降に伴って折り畳まれ、又は伸張する。
【００１５】
本発明による昇降床式プールは、プール槽（１）と、プール槽（１）の底面に対向して設けられた昇降可能なプール床（３）と、プール床（３）に接続されたアーム（７）と駆動装置（２）とを備えている。駆動装置（２）はアーム（７）を昇降する昇降機構（８、９、１０）と、上下方向に伸展し且つアーム（７）を昇降機構（８、９、１０）に導入するスリット（１１ａ）を有する遮蔽パネル（１１）と、両端がアーム（７）に接続され、スリット（１１ａ）のプール床（３）の下部にある部分も含んだ全部を塞ぐように、輪状にガイドされるシャッター板（５１、６２）と、シャッター板（５１、６２）をアーム（７）から上下方に導きシャッター板（５１、６２）をガイドするガイド機構（５２〜５５、６５、６６）とを含む。
【００１６】
本発明による昇降床式プールは、プール槽（１）と、プール槽（１）の底面に対向して設けられた昇降可能なプール床（３）と、プール床（３）に接続されたアーム（７）と駆動装置（２）とを備えている。駆動装置（２）はアーム（７）を昇降する昇降機構（８、９、１０）と、上下方向に伸展し且つアーム（７）を昇降機構（８、９、１０）に導入するスリット（１１ａ）を有する遮蔽パネル（１１）と、両端がアーム（７）に接続され、スリット（１１ａ）のプール床（３）の下部にある部分も含んだ全部を塞ぐように、実質的に同一な平面内で輪状にガイドされるシャッター板（６２）と、シャッター板（６２）をアーム（７）から上下方に導きシャッター板（６２）をガイドするガイド機構（５２〜５５、６６、６７）とを含む。
【００１７】
【発明の実施の形態】
以下、添付図面を参照しながら、本発明による昇降床式プールの実施の一形態を説明する。
【００１８】
実施の第１形態：
図１は、本発明による昇降床式プールの実施の第１形態を示す。実施の第１形態では、床駆動装置２がプール槽１と共に設けられる。プール槽１は、概ね直方体である。プール槽１が有する辺のうち最長の辺を有する２つの側面１ａ、１ｂにそれぞれ３つずつ、計６つの床駆動装置２が設けられている。床駆動装置２は、プール槽１の底面に対向して設けられたプール床３に接続される。床駆動装置２は、プール床３を駆動して昇降し、プールの深さを調節する。
【００１９】
図２は、プール床３を駆動する駆動系統を示す。床駆動装置２のそれぞれには、駆動軸５を介して駆動モータ４が接続されている。駆動モータ４は、駆動軸５を回転し、床駆動装置２のそれぞれを駆動する。駆動モータ４は、２つ設けられ、側面１ａに設けられた３つの床駆動装置２は、一の駆動モータ４に接続され、側面１ｂに設けられた３つの床駆動装置２は、他の駆動モータ４に接続される。駆動モータ４は、床昇降制御装置６により制御される。
【００２０】
図３は、床駆動装置２を示す。プール床３には、床保持アーム７が接合されている。床保持アーム７には、ワイヤー８の一端が接合されている。ワイヤー８は、床保持アーム７から上方に伸展し、滑車９によりその伸展方向が下方に変えられる。ワイヤー８の他端は、ドラム１０に接続されている。ドラム１０は、既述の駆動軸５に接続されている。ドラム１０が駆動軸５により駆動されると、ドラム１０は、ワイヤー８を巻き取り、又は、ワイヤー８を繰り出す。ワイヤー８、滑車９、及びドラム１０は、遮蔽パネル１１により、プール槽１から遮蔽されている。
【００２１】
図４に示されているように、遮蔽パネル１１には、上下方向に伸びるスリット１１ａが設けられている。プール床３に接合された床保持アーム７は、スリット１１ａを貫通して、床駆動装置２の内部に入り込む。図３に示されているように、床保持アーム７の、床駆動装置２の内部にある部分にワイヤー８が接続される。ドラム１０が、ワイヤー８を巻き取り、又はワイヤー８を繰り出すと、床保持アーム７はスリット１１ａに沿って昇降し、床保持アーム７に接合されたプール床３も昇降する。
【００２２】
スリット１１ａは、床駆動装置２の内部に指、腕、足等が挿入されないように、複数のシャッター板１２により目隠しされる。図５に示されているように、シャッター板１２は、遮蔽パネル１１に垂直な対称面１２ａを中心とした鏡面対称の形状を有し、シャッター板１２の重心は、対称面１２ａの上にある。
【００２３】
図３に示されているように、シャッター板１２は、シャッター板保持部材１４、及びメインポスト１５により、スリット１１ａを実質的に完全に塞ぐような位置に保持されている。メインポスト１５は、プール槽１の底面に固定され、既述の滑車９を固定的に保持する。更に、メインポスト１５は、図６に示されているように、シャッター板保持部材１４を固定的に保持する。図３に示されているように、シャッター板１２は、シャッター板保持部材１４にピン１３により回転可能に接続される。ピン１３は、シャッター板１２の回転の中心となり、ピン１３は、シャッター板１２が遮蔽パネル１１に実質的に平行な面内で回転可能になるように、シャッター板１２を支持する。ピン１３がシャッター板１２を支える位置は、シャッター板１２の回転軸が、対称面１２ａの上にあるように定められている。
【００２４】
図４に示されているように、シャッター板１２は、スリット１１ａの両側に配置されている。スリット１１ａの一の側にあるシャッター板１２と、他の側にあるシャッター板１２とは、互いに上下方向にずれて配置され、上下方向に長いスリット１１ａは、シャッター板１２により実質的に完全に目隠しされる。床保持アーム７が昇降されると、床保持アーム７は、シャッター板１２に接触し、シャッター板１２に力を加える。その力により、シャッター板１２は、スリット１１ａを開放するように回転し、スリット１１ａには、床保持アーム７が通過する空間が形成される。床保持アーム７はスリット１１ａに沿って昇降することができる。
【００２５】
床保持アーム７の昇降の際、床保持アーム７とシャッター板１２とは摺動する。図５に示されているように、シャッター板１２と床保持アーム７とが摺動する摺動面１２ｂは、シャッター板１２の外側に向かって凸であり、且つ、滑らかな曲面であることが好ましい。これにより、シャッター板１２と床保持アーム７とは、滑らかに摺動する。
【００２６】
床保持アーム７が昇降する際、ワイヤー８のテンション（張力）がテンション検出機構１７により検出される。図３に示されているように、テンション検出機構１７は、メインポスト１５と、床駆動装置２の内壁２ａとを接続する梁１６に設けられる。
【００２７】
テンション検出機構１７は、滑車１８と、滑車アーム１９と、スプリングアーム２０と、回転軸２１と、スプリング２２とを含む。滑車１８は、滑車アーム１９に接合されている。滑車アーム１９と、スプリングアーム２０とは、回転軸２１に接合され、回転軸２１と同体に回転する。スプリングアーム２０の端には、スプリング２２の一端が接合されている。スプリング２２の他端は、メインポスト１５に接合され、スプリング２２はスプリングアーム２０を引っ張る。スプリングアーム２０が引っ張られると、滑車アーム１９の先端に設けられた滑車１８がワイヤー８に押しつけられる。滑車１８の位置は、ワイヤー８に印加されるテンション（張力）に応じて変化する。滑車１８の位置に応じて、回転軸２１の回転角度も、ワイヤー８に印加されるテンション（張力）に応じて変化する。回転軸２１には、回転軸２１の回転角度を検出する回転角度検出器（図示されない）が接続され、検出された回転角度に基づいて、ワイヤー８に印加されるテンション（張力）が測定される。回転角度検出器は、検出した回転角度を床昇降制御装置６に送信する。床昇降制御装置６は、その回転角度からワイヤー８のテンションの異常増加と、ワイヤー８の緩みとを検出する。ワイヤー８のテンションの異常増加又はワイヤー８の緩みが検出されると、床昇降制御装置６は、駆動モータ４を停止し、ワイヤー８の巻き取り及び繰り出しを停止する。
【００２８】
本実施の形態の昇降床式プールでは、以下のようにしてプール床３の昇降が行われる。
【００２９】
初期状態では、床保持アーム７がスリット１１ａの下端にあり、シャッター板１２に接触していないとする。このとき、シャッター板１２の回転の回転軸であるピン１３とシャッター板１２の重心とが共に対称面１２ａの上にあるため、シャッター板１２の自重により、シャッター板１２は、その対称面１２ａが鉛直面に一致する位置関係を保つように保持される。シャッター板１２の対称面１２ａが鉛直面に一致するように保持されると、シャッター板１２は、スリット１１ａを塞ぐ。
【００３０】
ワイヤー８がドラム１０により巻き取られると、床保持アーム７はスリット１１ａに沿って上昇する。床保持アーム７が上昇して、一のシャッター板１２に接触すると、その一のシャッター板１２は、床保持アーム７により加えられた力により、ピン１３を中心にしてスリット１１ａに対して反対側に回転する。床保持アーム７は、シャッター板１２が回転することによりスリット１１ａに開けられた空間を通り抜けて上昇する。
【００３１】
床保持アーム７が更に上昇すると、床保持アーム７は、回転したシャッター板１２から離れる。床保持アーム７がシャッター板１２から離れると、シャッター板１２の自重により、シャッター板１２は、対称面１２ａが鉛直面に一致するように回転し、スリット１１ａを塞ぐ。
【００３２】
シャッター板１２は、床保持アーム７によってスリット１１ａの下端に近いものから順番に、スリット１１ａから離れるように回転され、シャッター板１２の回転により形成された空間を通して、床保持アーム７は、スリット１１ａに沿って上昇する。
【００３３】
ワイヤー８がドラム１０から繰り出され、床保持アーム７がスリット１１ａに沿って下降するときも同様に、床保持アーム７は、シャッター板１２が回転することによりスリット１１ａに開けられた空間を通り抜けて下降する。更に、床保持アーム７がシャッター板１２から離れると、シャッター板１２は、対称面１２ａが鉛直面に一致するように回転し、スリット１１ａを塞ぐ。
【００３４】
このように、本実施の形態の昇降床式プールでは、シャッター板１２が床保持アーム７の昇降に応じて回転し、床保持アーム７の昇降を可能にしながらスリット１１ａを目隠しする。このとき、シャッター板１２は、床保持アーム７から加えられる力とシャッター板１２自体の自重とにより回転し、シャッター板１２を駆動する駆動力を外部から供給する専用の機構が設けられる必要がない。これにより、目隠機構の構成が簡素化されている。
【００３５】
本実施の形態において、シャッター板保持部材１４には、シャッター板１２の対称面１２ａを鉛直方向に保持する方向にシャッター板１２に力を印加するスプリングが設けられることも可能である。これにより、シャッター板１２は、床保持アーム７と接触していないときにスリット１１ａを塞ぐ位置に強制的に保持され、スリット１１ａが確実に塞がれる。
【００３６】
実施の第２形態：
図７は、本発明による実施の第２形態の昇降床式プールを示す。実施の第２形態では、実施の第１形態と異なる機構により、遮蔽パネル１１のスリット１１ａが目隠しされる。
【００３７】
プール床３を昇降する床保持アーム７には、シャッター板３１が接続されている。シャッター板３１は、弾性的に変形可能な材料、例えば、バネ鋼板で形成される。図８に示されているように、シャッター板３１は、スリット１１ａのうち床保持アーム７よりも上方にある部分を塞ぐ。シャッター板３１は、図７に示されているように、ガイドローラ３２及びガイドローラ３３により保持されている。シャッター板３１は、床保持アーム７から上方に伸展し、ガイドローラ３２及びガイドローラ３３により、その伸展方向が下方に変更される。シャッター板３１の２端のうち、床保持アーム７に接続されていない端には、重りとして、カウンターウエイト３４が吊り下げられている。カウンターウエイト３４には、重力が印加され、シャッター板３１を引っ張る。
【００３８】
ワイヤー８がドラム１０により巻き取られると、床保持アーム７はスリット１１ａに沿って上昇する。床保持アーム７が上昇すると、シャッター板３１は、カウンターウエイト３４に引っ張られ、スリット１１ａのうちシャッター板３１により塞がれている部分が、床保持アーム７と共に上方に移動する。
【００３９】
同様に、ワイヤー８がドラム１０から繰り出されると、床保持アーム７はスリット１１ａに沿って下降する。床保持アーム７が下降すると、シャッター板３１は、床保持アーム７により引っ張られ、スリット１１ａのうち、シャッター板３１によりを塞がれている部分が、床保持アーム７と共に下方に移動する。
【００４０】
このように、本実施の形態の昇降床式プールでは、シャッター板３１が床保持アーム７の昇降に伴って移動し、スリット１１ａが自動的に塞がれる。このとき、シャッター板３１の移動は、床保持アーム７からシャッター板１２に加えられる力と、カウンタウエイト３４に印加される重力とにより行われ、シャッター板３１を駆動する駆動力を外部から供給する専用の機構が設けられる必要がない。これにより、目隠機構の構成が簡素化されている。
【００４１】
実施の第３形態：
図９は、本発明による昇降床式プールの実施の第３形態を示す。実施の第３形態では、実施の第１形態及び第２形態と異なる機構により、遮蔽パネル１１のスリット１１ａが目隠しされる。
【００４２】
実施の第３形態では、スリット１１ａを目隠しするために折り畳みシャッター４１が設けられる。図１０に示されているように、折り畳みシャッター４１により、スリット１１ａのうち、床保持アーム７より上方にある部分が蓋われる。図９に示されているように、折り畳みシャッター４１の一端は、床保持アーム７に接続され、他端は、メインポスト１５”に接続されたシャッター保持アーム４４に接続される。折り畳みシャッター４１は、複数のシャッター板４２を含む。シャッター板４２は、弾性的に変形可能な連結部４３により連結され、帯状の折り畳みシャッター４１が形成されている。
【００４３】
ワイヤー８がドラム１０により巻き取られると、床保持アーム７はスリット１１ａに沿って上昇する。床保持アーム７が上昇するとき、床保持アーム７は、折り畳みシャッター４１を縮めようとする力を折り畳みシャッター４１に印加する。その力により、折り畳みシャッター４１は、図１１に示されているように連結部４３で折り畳まれる。これにより、スリット１１ａのうち、折り畳みシャッター４１により塞がれている部分が、床保持アーム７と共に上方に移動する。
【００４４】
更に、ワイヤー８がドラム１０から繰り出されると、床保持アーム７はスリット１１ａに沿って下降する。床保持アーム７が下降するとき、床保持アーム７は、折り畳みシャッター４１を伸展しようとする力を折り畳みシャッター４１に印加する。その力により、折り畳みシャッター４１は伸展され、スリット１１ａのうち、折り畳みシャッター４１により塞がれている部分が、床保持アーム７と共に下方に移動する。
【００４５】
このように、本実施の形態の昇降床式プールでは、折り畳みシャッター４１が床保持アーム７の昇降に伴って折り畳まれ、又は、伸展し、スリット１１ａが自動的に塞がれる。このとき、折り畳みシャッター４１の折り畳み、及び伸展は、床保持アーム７から折り畳みシャッター４１に加えられる力により行われ、折り畳みシャッター４１を駆動する駆動力を外部から供給する専用の機構が設けられる必要がない。これにより、目隠機構の構成が簡素化されている。
【００４６】
実施の第４形態：
図１２は、本発明による昇降床式プールの実施の第４形態を示す。実施の第４形態では、実施の第１形態乃至第３形態と異なる機構により、遮蔽パネル１１のスリット１１ａが目隠しされる。
【００４７】
実施の第４形態では、図１２に示されているように、スリット１１ａを目隠しするためにシャッター板５１が設けられる。シャッター板５１は、弾性的に変形可能な材料、例えば、バネ鋼板で形成される。シャッター板５１の第１端５１ａは、床保持アーム７の上面に接合されている。シャッター板５１は、滑車５２、５３、５４、及び５５により、床保持アーム７の下面に導かれ、シャッター板５１の第２端５１ｂは、床保持アーム７の下面に接合されている。このように、シャッター板５１は、エンドレスリング状の無限軌道を構成する。
【００４８】
ワイヤー８がドラム１０により巻き取られて床保持アーム７が上昇すると、床保持アーム７はシャッター板５１の第２端５１ｂを引っ張り、これにより、シャッター板５１は、床保持アーム７と同体に移動する。同様に、ワイヤー８がドラム１０から繰り出されて床保持アーム７が下降すると、床保持アーム７はシャッター板５１の第１端５１ａを引っ張り、このように、シャッター板５１は、昇降する床保持アーム７により駆動されて、床保持アーム７と同体に移動する。
【００４９】
実施の第４形態では、シャッター板５１が床保持アーム７の上下動によって駆動され、シャッター板５１を駆動する駆動力を外部から供給する専用の機構が設けられる必要がない。
【００５０】
更に、実施の第４形態では、スリット１１ａのうちの床保持アーム７の上側にある部分が遮蔽されると共に、スリット１１ａのうちの床保持アーム７の下側にある部分も遮蔽され、スリット１１ａからの駆動装置２の内部へのごみ・異物の侵入が防がれる。
【００５１】
実施の第５形態：
図１３は、本発明による昇降床式プールの実施の第５形態を示す。実施の第５形態では、実施の第１形態乃至第４形態と異なる機構により、遮蔽パネル１１のスリット１１ａが目隠しされる。
【００５２】
実施の第５形態では、図１３に示されているように、シャッター機構６１により、スリット１１ａが目隠しされる。図１４に示されているように、シャッター機構６１は、一列に連結されたシャッター板６２を含む。隣接する２つのシャッター板６２は、実質的に同一の平面内で、相互に回動可能に連結されている。
【００５３】
図１５は、シャッター機構６１の詳細図である。図１５（ａ）は、シャッター機構６１の俯瞰図であり、図１５（ｂ）は、シャッター機構６１の上面図であり、図１５（ｃ）は、シャッター機構６１の側面図である。図１５（ｂ）に示されているように、シャッター板６２は、リンク６３、ピン６４、及びローラ６５からなるローラーチェーンに接合されている。シャッター板６２は、それぞれ、一のリンク６３に接合されている。リンク６３は、ピン６４により、互いに回動可能に連結されている。ピン６４は、ローラ６５を貫通するように挿入されている。ローラ６５は、ピン６４を軸として回転可能であり、ローラ６５は、後述のようにスプロケットによりシャッター機構６１を駆動する際に、シャッター機構６１の運動を滑らかにする。
【００５４】
図１４に示されているように、シャッター機構６１の第１端６１ａは、床保持アーム７の上面に接続されている。シャッター機構６１は、第１端６１ａから上方に延伸し、スプロケット６６により、その延伸方向が下方に変えられる。スプロケット６６から下方に延伸するシャッター機構６１は、スプロケット６７により、その延伸方向が上方に変えられ、床保持アーム７の下面に導かれる。シャッター機構６１の第２端６１ｂは、床保持アーム７の下面に接合される。シャッター機構６１は、エンドレスリング状の無限軌道を構成する。シャッター機構６１のうち、第１端６１ａとスプロケット６６との間にある第１部分及び、第２端６１ｂとスプロケット６７との間にある第２部分は、シャッター板１１のスリット１１ａに重ねられ、シャッター機構６１によりスリット１１ａが目隠しされる。
【００５５】
ワイヤー８がドラム１０により巻き取られて床保持アーム７が上昇すると、床保持アーム７はシャッター板６１の第２端６１ｂを引っ張り、これにより、シャッター板６１は、床保持アーム６と同体に移動する。同様に、ワイヤー８がドラム１０から繰り出されて床保持アーム７が下降すると、床保持アーム７はシャッター板６１の第１端６１ａを引っ張り、このように、シャッター板６１は、昇降する床保持アーム７により駆動されて、床保持アーム７と同体に移動する。
【００５６】
実施の第５形態では、実施の第４形態と同様に、シャッター機構６１が床保持アーム７の上下動によって駆動され、シャッター機構６１を駆動する駆動力を外部から供給する専用の機構が設けられる必要がない。
【００５７】
更に、実施の第５形態では、スリット１１ａのうちの床保持アーム７の上側にある部分が遮蔽されると共に、スリット１１ａのうちの床保持アーム７の下側にある部分も遮蔽され、スリット１１ａからの駆動装置２の内部へのごみ・異物の侵入が防がれる。
【００５８】
【発明の効果】
本発明により、昇降床式プールのプール床昇降装置に設けられる目隠機構が簡素化される。
【図面の簡単な説明】
【図１】図１は、本発明による実施の第１形態の昇降床式プールを示す。
【図２】図２は、プール床３を駆動する駆動系統を示す。
【図３】図３は、床駆動装置２を示す。
【図４】図４は、シャッター板１２の配置を示す。
【図５】図５は、シャッター板１２の形状を示す。
【図６】図６は、シャッター板１２を支持するシャッター板保持部材１４、及びメインポスト１５を示す。
【図７】図７は、本発明による実施の第２形態の昇降床式プールを示す。
【図８】図８は、シャッター板３１の配置を示す。
【図９】図９は、本発明による実施の第３形態の昇降床式プールを示す。
【図１０】図１０は、折り畳みシャッター４１を示す。
【図１１】図１１は、折り畳みシャッター４１が折り畳まれた状態を示す。
【図１２】図１２は、本発明による実施の第４形態の昇降床式プールを示す。
【図１３】図１３は、本発明による実施の第５形態の昇降床式プールを示す。
【図１４】図１４は、シャッター機構６１を遮蔽パネル１１の側から見た正面図である。
【図１５】図１５は、シャッター機構６１の詳細図である。
【符号の説明】
１：プール槽
２：床駆動装置
３：プール床
４：駆動モータ
５：駆動軸
６：床昇降制御装置
７：床保持アーム
８：ワイヤー
９：滑車
１０：ドラム
１１：遮蔽パネル
１１ａ：スリット
１２：シャッター板
１３：ピン
１４：シャッター板保持部材
１５：メインポスト
１６：梁
１７：テンション検出機構
１８：滑車
１９：滑車アーム
２０：スプリングアーム
３１：シャッター板
３２、３３：ガイドローラ
３４：カウンターウエイト
４１：折り畳みシャッター
４２：シャッター板
４３：連結部
５１：シャッター板
５２〜５５：滑車
６１：シャッター機構
６２：シャッター板
６３：リンク
６４：ピン
６５：ローラ
６６、６７：スプロケット
【図１】
0003759021.tif 000002
【図２】
0003759021.tif 000003
【図３】
0003759021.tif 000004
【図４】
0003759021.tif 000005
【図５】
0003759021.tif 000006
【図６】
0003759021.tif 000007
【図７】
0003759021.tif 000008
【図８】
0003759021.tif 000009
【図９】
0003759021.tif 000010
【図１０】
0003759021.tif 000011
【図１１】
0003759021.tif 000012
【図１２】
0003759021.tif 000013
【図１３】
0003759021.tif 000014
【図１４】
0003759021.tif 000015
【図１５】
0003759021.tif 000016